(57)【要約】【課題】基板のピット面がレーザ光の入射側の面に設けられる近年の高記録密度化ディスクに対しても、印刷による記録層を設けて海賊版ディスクの製造が極めて困難にできるようにする。【解決手段】基板におけるピット面とは逆側の面に対して形成された透過性を有する層に対してか、又は基板におけるピット面とは逆側の面に対して直接的に、反射性を有する材質による塗料を所要のパターンで形成することで、印刷による記録層を形成する。これによって単に従来のように反射膜の裏側に印刷記録層を設けるとした場合のようにその実用化が困難となってしまうことを回避でき、また印刷により記録された著作権保護情報は物理的な転写が困難であり海賊版ディスクの製造は困難とすることができる。【選択図】図１
2007226891.tif 000002
【特許請求の範囲】
【請求項１】
ピットが形成された透過性を有する基板と、
上記基板の上記ピットが形成されたピット面に対して成膜された透過性を有する反射膜と、
上記反射膜上に成膜された透過性を有するカバー層と、を備えると共に、
上記基板における上記ピット面とは逆側の面に対して形成された透過性を有する層に対して、又は上記基板における上記ピット面とは逆側の面に対して、反射性を有する材質による塗料が所要のパターンを形成するようにして塗布されている、
ことを特徴とする光ディスク記録媒体。
【請求項２】
上記塗料が塗布された層位置よりも上層の所定の層位置に対し、遮へい用の膜が成膜されていることを特徴とする請求項１に記載の光ディスク記録媒体。
【請求項３】
上記塗料が、上記基板における上記ピット面とは逆側の面に対して直接的に塗布されていることを特徴とする請求項１に記載の光ディスク記録媒体。
【請求項４】
上記塗料が、上記基板における上記ピット面とは逆側の面に対して成膜された透過性を有する下地層に対して塗布されていることを特徴とする請求項１に記載の光ディスク記録媒体。
【請求項５】
基板上に形成されたピットにより主データが記録された光ディスク記録媒体を製造するディスク製造方法として、
上記主データに基づくピットが形成されたディスク原盤を生成する原盤生成工程と、
上記ディスク原盤をもとに作成したスタンパによって上記ピットが形成されたピット面を有する基板を生成し、上記ピット面に対して少なくとも透過性を有する反射膜とその上にカバー層を成膜すると共に、上記主データとは異なる副データに基づき、上記基板における上記ピット面とは逆側の面に対して形成された透過性を有する層に対して、又は上記基板における上記ピット面とは逆側の面に対して、反射性を有する材質による塗料を所要のパターンが形成されるようにして塗布するディスク生成・印刷記録工程と、
を備えることを特徴とするディスク製造方法。
【請求項６】
ピットが形成された透過性を有する基板と、上記基板の上記ピットが形成されたピット面に対して成膜された透過性を有する反射膜と、上記反射膜上に成膜された透過性を有するカバー層と、を少なくとも備えるディスク状媒体について情報記録を行う記録装置として、
上記基板上に上記ピットにより記録される主データとは異なる副データに基づき、上記基板における上記ピット面とは逆側の面に対して形成された透過性を有する層に対して、又は上記基板における上記ピット面とは逆側の面に対して、反射性を有する材質による塗料を所要のパターンが形成されるようにして塗布する印刷手段を備える、
ことを特徴とする記録装置。
【発明の詳細な説明】
【技術分野】
【０００１】
本発明は光ディスク記録媒体とその製造方法、及び記録装置に関する。
【背景技術】
【０００２】
【特許文献１】特許第３４５４４１０号公報
【特許文献２】特開２００１−１７６１３２号公報
【０００３】
光ディスクとして、特に再生専用のＲＯＭディスクは、１つのスタンパからプラスチックの射出成形によって短時間で大量のレプリカ基板を安価に製造可能であることからパッケージメディアとして世界中で利用されている。例えばＣＤ（Compact Disc）やＤＶＤ（Digital Versatile Disc）等は、音楽や映像等の情報を記録するＲＯＭディスクとして広く一般に普及している。
【０００４】
従来より、このようにパッケージメディアとして販売されるＲＯＭディスクを基にその記録データを違法コピーしたいわゆる海賊版ディスクが作成されており、著作権の侵害が問題となっている。
一般的に海賊版ディスクは、正規版ディスクから再生した信号を基にマスタリング工程によりスタンパを作成して複製ディスクを製造するようにして作成される。或いは正規版ディスクから再生した信号を記録可能なディスクにコピーすることで作成される。
【０００５】
海賊版ディスク製造防止のためには種々の技術が提案されているが、その１つとして、例えばディスクごとに異なる識別情報を付加する技術が知られている。このようにディスク個々に異なる識別情報を付加することで、再生装置側が上記識別情報を読み取ってこれをネットワーク経由で外部のサーバ装置に送信するといったシステムを構築することができる。このようなシステムを用いれば、例えば海賊版ディスクが作成・販売された場合には上記サーバ装置にて同一の識別情報が大量に検出されるので、海賊版ディスクの存在を検知することができる。さらに、検出された識別情報を送信してきた再生装置を特定することで、海賊版業者を特定できる可能性もある。
【０００６】
但し、このようにディスク個々に固有となる識別情報であっても、市販のドライブ装置で簡易にコピーできないようにして記録されていることが、著作権保護として有用である。
そこで、例えば上記の特許文献１では、上記識別情報を、ディスクの反射膜にマークを形成して微少な反射率変化を与えることで記録するもとしている。すなわち、この特許文献１に記載のディスクでは、ピット及びランドの組み合わせにより主のデータ（コンテンツデータや管理情報等）が記録されると共に、所定のピット又はランド上の反射膜に対して微少な反射率変化を与えるマークを形成することで、上記主のデータ以外の副のデータ（識別情報）を記録するようにされている。
【０００７】
反射膜に対するマークの記録は、再生時のレーザパワーよりも高い記録パワーによるレーザ照射により行われる。このとき、マークによる反射率変化は微少なものとなるようにされて、ピット・ランドの組み合わせにより記録される主データの再生に影響を与えることがないようにされている。すなわち、これによって主データについての通常の再生動作では副データが再生されないようになっている。
【０００８】
ところで、上記説明では、海賊版ディスクは正規版のＲＯＭディスクの再生信号から作成されることを前提としたが、他の手法として、ＲＯＭディスクの基板の物理的形状をそのまま転写してスタンパを作成する手法も考えられる。
具体的には、ディスクのカバー層、反射膜を基板から剥離することで、基板に形成されたピット及びランドの形状を表出させる。そして、このように表出させた凹凸形状を物理的に転写することで、ディスクに記録された内容を複製するといったものである。
【０００９】
上記特許文献１に記載のディスクでは、反射膜に対して形成したマークによりディスク個々の識別情報を記録するものである。これによれば、上記のようにして基板からカバー層と反射膜を剥離させる必要のある物理的転写の手法では、反射膜に形成されたマーク（識別情報）までを転写することができないことになるので、海賊版ディスクの製造を防止できると考えられる。
【００１０】
また、物理的な転写による海賊版ディスクの製造防止を図る別の手法として、先に本出願人は上記特許文献２に記載されるような技術を提案している。
図７は、このような特許文献２に記載の発明の１実施形態としての光ディスクの断面構造を示している。
この特許文献２に記載の光ディスクでは、図示するようにしてピット転写基板１０１のレーザ光の入射側の面とは逆側の面となるピット形成面に対して、微少に透過性を持たせた反射膜１０４を成膜した上で、さらにレーザ光の入射側からみてその奥側に（上層に）、副データを記録するための記録層１０５を設けるようにされる。さらにその上層に保護膜１０３が成膜された構造となっている。
【００１１】
この光ディスクでは、上記記録層１０５が印刷により形成された層となっている。具体的には、それぞれ反射率が異なる塗料により所要のパターン（模様）が形成されるようにして印刷が行われたものとなっている。このような反射率の異なるパターンが形成されることで、当該記録層１０５において副データの値を記録するようにされているものである。
【００１２】
また、この場合は上記反射膜１０４として或る程度透過性を有する材料を選定しているので、図示するように対物レンズを介してレーザビームが反射膜１０４上に集光するように照射されると、その一部の光が反射膜１０４を透過して記録層１０５に到達するようにさている。記録層１０５に光が到達すると、その到達位置に塗布されている塗料の反射率に応じた反射光が得られ、これが反射膜１０４を介して対物レンズ側に戻るようにされる。
このとき、光ディスクは回転駆動されているので、上記のようにレーザ光を照射して得られる記録層１０５からの反射光は、その光量が記録層１０５上に形成されたパターンに応じて微少に変化するようにして得られることになる。この微少な反射光量変化を検出することで、副データの値を再生することができる。
【００１３】
なお、このようにして記録層１０５からの反射光量が微少となるのは、反射膜１０４を介して記録層１０５へのレーザ光照射を行いまた反射膜１０４を透過して得られる反射光を信号光として利用するようにされるからである。
再生装置側においては、このような記録層１０５からの副データの値を反映した反射光の微少な光量変化について多数サンプリングを行ってそれらを積分した結果に基づき、副データの各値を有効に検出することができる。
なお、このように上記記録層１０５からの反射光の光量が微少とされていることで、副データの信号光がピット・ランドにより記録された主データの再生に影響を与えてしまうことが有効に防止されている。
【００１４】
この図７に示すように、副データの記録を印刷により行うようにしたことによっても、物理的な形状変化により副データが記録されないことで、物理的な転写による海賊版ディスクの製造を効果的に防止できる。
【００１５】
なお、確認のために述べておくと、副データが記録可能となることのみについて実現しようとするのであれば、図７の構成において、基板１０１→記録層１０５→反射膜１０４の順とし、記録層１０５としては透過率の異なる塗料による印刷層とすることで、反射膜１０４への入射前に記録層１０５としての透過率変化を与えて、副データを反映した反射光が得られるようにすることも考えられる。しかしながら、このような構成を採った場合には、副データの記録情報に応じた光量変化が大きくなってしまい、主データの再生に影響を与えやすくなってしまう。
この点で、印刷による記録層１０５としては、図７に示したように基板１０１→反射膜１０４→記録層１０５となるように設ける必要があるものとされる。
【発明の開示】
【発明が解決しようとする課題】
【００１６】
ところで、近年では、データ記憶容量の増大化の要請から、これまでのＣＤやＤＶＤとは異なる新たな構造を有する光ディスクが提案され、また実用化されつつある。
大容量化の実現手法としては、大きくは記録層を多層化する手法と高記録密度化を図る手法とに大別できるが、例えば高記録密度化を図るとした場合は、より細かく形成されるピット・ランドを高倍率で検出できるように、さらに高いＮＡ（Numerical Aperture：開口数）を確保するということが必要となる。
【００１７】
ここで、このようにしてより高いＮＡを設定した場合は、それに伴ってフォーカス方向のワーキングディスタンスも制約を受けるので、その分光ディスク側の構造としては、対物レンズからピット面までの距離が短くなるように構成する必要がある。
すなわち、このことによると、先の図７に示したようなピット転写基板１０１がレーザ入射側となる従来のＣＤ・ＤＶＤなどのディスク構造が採られる場合には、ピット転写基板１０１の厚みはさらに薄くさせる必要がでてくる。
【００１８】
しかしながら、ピット転写基板１０１としては、例えば強度確保などの点から所定以上の厚みを有することが必要とされている。つまりは、この理由から、図７に示したようにピット転写基板１０１のピット形成面がレーザ入射側からみて裏側に位置する従来のディスク構造では、高ＮＡ化には限界があり、拡大できるデータ記憶容量にも限界があった。
【００１９】
そこで、近年では、例えば次の図８に示されているように、ピット転写基板１０１のピット形成面がレーザ入射側の面となるようにし、このピット形成面に反射膜１０２→カバー層１０３を積層するようにしたディスク構造が提案され実用化されている。
このような構造を有する記録媒体は、例えばブルーレイディスク（Bru-ray Disc：登録商標）などとして知られている。
【００２０】
上記のようにピット転写基板１０１のピット形成面がレーザ光入射側に位置するようにしたディスク構造によれば、対物レンズからピット形成面までの間に基板本体の厚みを介在させる必要がなく、それらの間の距離はより短くすることができる。つまりは、これによって先に述べた従来のディスク構造とする場合よりもさらなる高ＮＡ化を図ることができ、この結果さらなる高記録密度化、ひいては大記憶容量化を実現することができる。
【００２１】
ここで、上記ブルーレイディスクのような構造を有する大容量ディスクについても、例えば著作権保護情報としての副データの記録は、先に述べたような印刷による記録層を設けて海賊版ディスクの製造が困難となるようにすることが考えられる。
【００２２】
但し、上記もしているようにブルーレイディスクのような大容量ディスクの構造は図７に示したような従来ディスクの構造とは異なり、ピット転写基板１０１のピット形成面がレーザ光入射側に位置するようにされている。
仮に、このような構造の大容量ディスクに対し、先の図７と同様に反射膜１０４の裏面（レーザ入射側からみて裏面）に対して記録層１０５を設けることを想定してみると、その場合のディスク断面構造は例えば次の図９に示すようになる。
【００２３】
すなわち、その場合の光ディスクの構造としては、図９に示すようにして先ずはピット転写基板１０１におけるレーザ光の入射側の面となるピット形成面側に対し、記録層１０５を設けることになる。さらに、それに上塗りするようにして透過性が与えられた反射膜１０４を成膜した上で、次いでその上にカバー層１０６を成膜することになる。
【００２４】
しかしながら、この図９に示すような構造によると、図示もされているように記録層１０５はピットの凹形状を残すように形成できたとしても、それに上塗りされるようにして成膜される反射膜１０４ではピットの凹形状を残すことができない可能性がある。
或いは、記録層１０５の形成時点でピットが埋められてしまうことも十分に考えられ、その場合も反射膜１０４ではピットの凹形状が失われてしまうことになる。
このようにして反射膜１０４の断面形状がピットの形成パターンを忠実に反映したものとはならなくなってしまうと、当然のことながらピットにより記録される主データの再生が適正に行われなくなってしまうこととなる。
特に、この場合の光ディスクとしては高記録密度なディスクを想定しているため、ピットの大きさもその分小さく、上記のように記録層１０５の形成によってピットが埋められてしまう可能性が非常に高いものとなる。つまりは、図８に示したような構造による大容量光ディスクについて、単に図７に示した従来手法に依る海賊版防止技術を適用したのでは、これを有効に実用化することができない虞がある。
【課題を解決するための手段】
【００２５】
そこで、本発明では図８に示されるような近年の大容量ディスクの構造を採る場合にも、海賊版ディスクの製造が極めて困難となる光ディスク記録媒体を提供できるようにすることを目的とする。
このために先ず本発明では、光ディスク記録媒体として以下のように構成することとした。
つまり、本発明の光ディスク記録媒体は、ピットが形成された透過性を有する基板と、上記基板の上記ピットが形成されたピット面に対して成膜された透過性を有する反射膜と、上記反射膜上に成膜された透過性を有するカバー層とが備えると共に、上記基板における上記ピット面とは逆側の面に対して形成された透過性を有する層に対して、又は上記基板における上記ピット面とは逆側の面に対して、反射性を有する材質による塗料が所要のパターンを形成するようにして塗布されているものである。
【００２６】
また、本発明では基板上に形成されたピットにより主データが記録された光ディスク記録媒体を製造するディスク製造方法として、以下のようにすることとした。
つまり、上記主データに基づくピットが形成されたディスク原盤を生成する原盤生成工程を備える。
そして、上記ディスク原盤をもとに作成したスタンパによって上記ピットが形成されたピット面を有する基板を生成し、上記ピット面に対して少なくとも透過性を有する反射膜とその上にカバー層を成膜すると共に、上記主データとは異なる副データに基づき、上記基板における上記ピット面とは逆側の面に対して形成された透過性を有する層に対して、又は上記基板における上記ピット面とは逆側の面に対して、反射性を有する材質による塗料を所要のパターンが形成されるようにして塗布するディスク生成・印刷記録工程を備えるようにしたものである。
【００２７】
また、本発明では、ピットが形成された透過性を有する基板と、上記基板の上記ピットが形成されたピット面に対して成膜された透過性を有する反射膜と、上記反射膜上に成膜された透過性を有するカバー層と、を少なくとも備えるディスク状媒体について情報記録を行う記録装置として、以下のように構成することとした。
つまり、上記基板上に上記ピットにより記録される主データとは異なる副データに基づき、上記基板における上記ピット面とは逆側の面に対して形成された透過性を有する層に対して、又は上記基板における上記ピット面とは逆側の面に対して、反射性を有する材質による塗料を所要のパターンが形成されるようにして塗布する印刷手段を備えるようにしたものである。
【００２８】
上記本発明によれば、上記反射性を有する塗料の塗布（つまり印刷）により、ピットにより記録された主データとは別の副データを記録することができる。
その上で本発明では、このような印刷により副データが記録される層が、基板におけるピット面とは逆側となる（つまりレーザ光の入射側とは逆側となる）面に対して形成された透過性を有する層に対してか、又は上記基板における上記ピット面とは逆側の面に対して直接的に形成される。すなわち、レーザ光の入射側からみて基板の裏側となる層位置に対して印刷による記録層を形成するようにしているものである。
このようにレーザ光の入射側からみて基板の裏側となる層位置に印刷による記録層を設けたことで、反射膜はピット面上に直接成膜することができ、従来手法をそのまま適用する場合のようにその実用化を妨げるといった問題は生じないようにすることができる。
なお、確認のために述べておくと、上記のように印刷による記録層が透過性を有する層を介してか又は基板における上記ピット面とは逆側の面に対して直接的に形成されることによって、基板本体を介して入射するレーザ光がこの印刷による記録層に到達可能とすることができる。すなわち、このことによって、上記塗料の塗布に応じて得られる反射光を基板を介して戻り光として適正に戻すことができ、印刷による記録層に記録される信号についての再生が適正に行われるようにすることができる。
【発明の効果】
【００２９】
このようにして本発明では、レーザ光の入射側からみて基板の裏側に副データの記録層を設けるようにしたことで、反射膜は基板におけるピット面上に直接成膜することができ、基板のピット面がレーザ光入射側に設けられた高記録密度ディスクの構造が採られる場合に対応して実用化可能に海賊版ディスクの製造を効果的に防止できる光ディスク記録媒体を提供することができる。
【００３０】
また、本発明では副データが印刷により記録され、物理的な形状変化により記録されるものではないため、物理的転写による海賊版ディスクの製造を極めて困難とすることができる。
【００３１】
また、本発明のディスク製造方法によれば、上記のような優れた効果を有する光ディスク記録媒体を製造することができる。
また、本発明の記録装置によれば、著作権保護のための副データを、レーザ光の入射側からみて基板の裏側となる層位置に対して印刷により記録することができる。
【発明を実施するための最良の形態】
【００３２】
以下、発明を実施するための最良の形態（以下実施の形態とする）について説明していく。
図１は、本実施の形態の光ディスク記録媒体としての、光ディスク１０の断面構造を示す断面図である。
本実施の形態の光ディスク１０は、再生専用のＲＯＭディスクであり、具体的にはブルーレイディスク(Blu-Ray Disc：登録商標)と称される光ディスクに準拠したディスク構造及びフォーマットが採用されたものとなる。
【００３３】
図１において、先ず光ディスク１０には、スタンパの転写によりピットが形成されたピット形成面（ピット面とも言う）を有するピット転写基板１が備えられる。このピット転写基板１は、例えばポリカーボネートにより構成される。
このピット転写基板１においては、上記ピット面において凹凸の断面形状が与えられる。凹状の断面部はピットであり、凸状の断面部はランドである。光ディスク１０では、これらピットとランドの組み合わせ、具体的にはピットとランドのそれぞれの長さにより情報を記録することができる。
【００３４】
このピット転写基板１における上記ピット面側に対しては、図示するように反射膜２が成膜されている。
本実施の形態の場合、この反射膜２としては、例えば現状の多層ディスクなどで用いられている所謂二層膜など、反射性を有すると共に透過性も有する材料を成膜するようにされる。
【００３５】
なお確認のために述べておくと、この反射膜２の反射率は、上記ピット（及びランド）により記録される信号の読み出しのためのレーザ光が照射された際に、その反射光（戻り光）の検出に十分とされる光量が得られるように設定されればよく、また透過率は、後述する記録層５に記録される信号の読み出しのためのレーザ光が照射された際に、記録層５から得られる反射光の検出に十分とされる光量が得られるように設定されればよい。
【００３６】
また、上記反射膜２に対しては、図示するようにしてポリカーボネート等によるカバー層３が成膜されている。カバー層３は、反射膜２が成膜されたピット面を保護するために設けられる。
【００３７】
ここで、上記反射膜２としては、ピット転写基板１のピット形成面上に積層されることで、上記のようなピットとランドの形状に応じた凹凸の断面形状が与えられる。このことによって、上記カバー層３を介してレーザ光が当該反射膜２上に集光するように照射された際に、上記凹凸に応じて反射光の光量が変化するようされている。これにより、当該光ディスク１０についての再生を行う再生装置側では、照射したレーザ光のこの反射膜２からの反射光に基づき、ピットとランドの組み合わせにより記録される情報を検出する（読み出す）ことができる。
なお、この説明からも理解されるように、光ディスク１０において、ピット転写基板１の上記ピット形成面は、再生時のレーザ光の入射側の面に位置することがわかる。
【００３８】
また、上記ピット転写基板１における上記ピット形成面とは逆側の面（つまりレーザ光の入射側とは反対側の面）に対しては、図示するようにして下地層４が成膜される。そして、この下地層４に対し、図示するように塗料５ａが部分的に塗布され、さらにその上に遮へい用保護膜６が上記下地層４の上記塗料５ａが塗布されていない部分と上記塗料５ａ上とを共に覆うようにして成膜されている。
【００３９】
ここで、上記下地層４としては、その上に塗料５ａを塗布可能な材質とされ、且つ、後述するように上記塗料５ａの塗布により記録された信号を読み出すためのレーザ光が当該下地層４を透過できるように、透過性を有する材料が選定される。すなわち、この下地層４としては、印刷の下地として適した材質で且つ透過性を有するようにされた材料が成膜される。
【００４０】
また、この下地層４に対して塗布される塗料５ａとしては、下地層４上において部分的に塗布されるものとなるが、これによって下地層４上には上記塗料５ａによる所要のパターンが印刷されていることになる。
そしてこの場合、さらに遮へい用保護膜６が成膜されるが、このことによって上記下地層４上においては、塗料５ａが塗布された領域と、それ以外の遮へい用保護膜６の一部が成膜された領域との２つの領域が形成されることとなる。
【００４１】
また、遮へい用保護膜６は、上記塗料５ａが光ディスク１０の表面上に表出するのを防止し、外部から塗料５ａにより形成されるパターンが目視により特定できないようにするために設けられる。このため、遮へい用保護膜６としては透過性を有さない又は透過率の極めて低い材料を成膜するようにされる。この図１における遮へい用保護膜６としては、例えば紫外線硬化樹脂などを用いることができる。
【００４２】
またこの場合、上記塗料５ａとしては、反射性を有する材質とされ、その反射率は上記遮へい用保護膜６の有する反射率と異なる反射率となるようにその材料が選定されている。
このことによって、下地層４の上層においては、塗料５ａの塗布によって反射率が異なるようにされた所要のパターンが形成されることになる。そしてこの結果、塗料５ａの塗布された層位置に集光させるようにしてレーザ光を照射した場合には、塗料５ａが塗布された部分でその反射光量を変化させることができる。つまり、このような構成により、塗料５ａの塗布部分の形成パターンによって、上記ピット転写基板１上のピット形成面に記録されるデータ（主データと呼ぶ）とは別の他のデータ（副データと呼ぶ）を記録することができる。
【００４３】
なお、上記のようにして塗料５ａの塗布によって反射率の変化が与えられた層のことを、副データが記録される層という観点から、以下では記録層５と呼ぶ。
上記説明によれば、この場合は塗料５ａと遮へい用保護膜６の一部とにより反射率変化を与えるようにされているので、これら塗料５ａと遮へい用保護膜６の一部とが混在する層位置が記録層５となる。
【００４４】
ここで、従来のＣＤ（Compact Disc）、ＤＶＤ（Digital Versatile Disc）系の光ディスクでは、先の図７にも示したようにして、レーザ光入射側とは逆側となる面にピット面を設けたピット転写基板１０１→反射膜１０４→記録層１０５→ 保護膜１０３の順に積層し、基板１０１本体の厚みを介してピット面にレーザ光が照射されるように構成されていた。
このことで、ピット面に対し反射膜１０４を成膜した上側に、副データとしての著作権保護のための情報を記録した記録層１０５を直接設けることができた。
【００４５】
これに対し本実施の形態の光ディスク１０では、従来のＣＤやＤＶＤ系よりもさらに高記録密度化を図るために、ピット転写基板１のピット面は、図７の場合とは異なりレーザ光の入射側となる方の面に設けるようにされる。そして、このピット面上に反射膜２とさらにその上にカバー層３を積層するようにされている。つまり、このような構成により、レーザ光の入射側のディスク表面からピット形成面までの距離を短くすることができ、その分高ＮＡ化（ＮＡ＝Numerical Aperture：開口数）に対応でき、さらなる高記録密度化、ひいては大記憶容量化に対応することができるものである。
【００４６】
但し、このようにピット転写基板１のピット面をレーザ光の入射側に設けた構成とした場合において、先の図７と同様に反射膜の裏面（レーザ入射側からみて裏面）に対して記録層を設けることを想定してみると、先の図９にも示したように、記録層１０５はピットの凹形状を残すように形成できたとしても、それに上塗りされるようにして成膜される反射膜１０４ではピットの凹形状を残すことができない可能性がある。
或いは、記録層１０５の形成時点でピットが埋められてしまうことも十分に考えられ、その場合も反射膜１０４ではピットの凹形状が失われてしまうことになる。
このようにして反射膜１０４の断面形状がピットの形成パターンを忠実に反映したものとはならなくなってしまうと、当然のことながらピットにより記録される主データの再生が適正に行われなくなってしまうこととなる。
特に、この場合の光ディスクとしては高記録密度なディスクを想定しているため、ピットの大きさもその分小さく、上記のように記録層１０５の形成によってピットが埋められてしまう可能性が非常に高いものとなる。つまりは、本実施の形態のような大容量光ディスクについて、単に図７に示した従来手法に依る海賊版防止技術を適用したのでは、これを有効に実用化することができない虞がある。
【００４７】
そこで本実施の形態では、図１にも示したように、記録層５はレーザ光の入射側からみて基板１の裏側となる層位置にもうけるものとしている。具体的には、レーザ光の入射側からみて基板１の裏側となる層位置として、下地層４を介した次の層位置に設けるものとしている。
このことによって、単に図７の構成をそのまま適用するとして、レーザ光の入射側からみて反射膜の裏面に直接的に記録層を設けるとした場合のように、反射膜の断面形状がピット面の凹凸形状を反映したものとならなくなってしまうといった事態は回避しつつ、著作権保護のための副データを記録することができる。すなわち、これによって実用化可能に著作権保護のための副データを記録することができる。
【００４８】
また、確認のために述べておくと、この場合の記録層５に対する副データの記録は印刷によるものであるので、物理的な形状変化により記録されたものではない。これにより物理的転写による海賊版ディスクの製造も極めて困難とすることができる。
【００４９】
ところで、図７に示したような従来の光ディスクの構成としては、印刷による記録層１０５がレーザ光入射側からみて反射膜１０４の裏側に直接形成されていたので、反射膜１０４上にレーザ光がフォーカスしている下では、その一部が反射膜１０４を透過して上記記録層１０５に達することができ、また記録層１０５の塗料により反射された光が反射膜１０４を介して戻るようにすることができた。すなわち、このような従来の構成によれば、主データと副データとは、反射膜１０４にフォーカスを合わせることで共通のレーザ光を用いて読み出すことができた。
【００５０】
しかしながら、図１に示す本実施の形態の光ディスク１０としては、記録層５をレーザ光の入射側からみて基板１の裏側に設けている。このようにピット転写基板１の裏面に形成された記録層５に記録された信号を読み出すためには、基板１本体の厚みを介してレーザ光のフォーカスを記録層５に合わせる必要がある。
【００５１】
上記説明によると、基板１のピット面の信号を読み出すための高ＮＡによるレーザ光では、基板１本体の厚みを介してフォーカスを合わせることができないことになる。つまり、フォーカスを記録層５に合わせることができないことになる。そして、このように記録層５にフォーカスが合わせられなければ、記録層５に到達する前にレーザ光は散乱してしまい、記録層５における塗料５ａによる反射光は殆ど得られなくなってしまう。すなわち、副データに応じた反射光の検出が極めて困難となる。
このことから、本実施の形態の光ディスク１０において記録層５に記録された信号を読み出すにあたっては、主データの再生のためのレーザ光を共用して用いることはできないことになる。
【００５２】
そこで、本実施の形態の光ディスク１０の記録層５に記録される副データの読み出しには、次の図２の断面図に示すようにして、別途のレーザ光を照射するようにされる。
具体的には、基板１本体の厚みを介してフォーカスを合わせることが可能なワーキングディスタンスを確保することのできる、従来のＣＤやＤＶＤ系のＮＡによるレーザ光を照射して読み出すようにされる。
【００５３】
具体的に、この場合の光ディスク１０としては、先にも述べたようにブルーレイディスクに準拠したものを想定しているので、主データの再生、すなわち反射膜２に対して照射するレーザ光としては、現状のブルーレイディスクで用いられるものと同様の青色レーザ光（波長λ＝４０５ｎｍ、ＮＡ＝０．８５）を用いるようにされる。
また、記録層５に記録される副データの読み出しについては、例えば記録層５がＤＶＤ系と同じ基板厚み０．６mm越しの層位置に設けられる場合には、ＤＶＤ系の赤色レーザ光（波長λ＝６５０ｎｍ、ＮＡ＝０．６５）を用い、またＣＤ系の場合と同様に基板厚１．２mm越しに設けられる場合にはＣＤ系の赤色レーザ（波長λ＝７８０ｎｍ、ＮＡ＝０．４５）を用いるようにすればよい。
つまりは、記録層５の層位置に応じてレーザ光のフォーカスを合わせることのできるワーキングディスタンスを確保することのできる、主データの読み出し用よりも低いＮＡによるレーザ光を用いて、記録層５に記録される副データについての読み出しが行われればよい。
【００５４】
続いて、図３は、上記光ディスク１０の製造工程（製造方法）について説明するための図である。
図３において、光ディスク１０を製造するにあたっては、先ずは図中のフォーマット化工程Ｓ１１を実行するようにされる。このフォーマット化工程Ｓ１１は、例えばコンピュータ等を用いて行うことになる。
このフォーマット化工程Ｓ１１では、光ディスク１０に対して記録されるべきコンテンツデータ（ユーザデータ）について、所定の規格に応じたフォーマットデータ列が得られるように変換動作を行う。すなわち、実施の形態の場合は、ブルーレイディスクの規格に応じたデータ列が得られるように変換動作を行う。また、実際には、アドレス情報の挿入処理や、ユーザデータに対する誤り検出符号及び誤り訂正符号の付加、インターリーブ処理等も行うようにされる。
【００５５】
可変長変調工程Ｓ１２では、フォーマット化工程Ｓ１１により生成されたデータ列に対して可変長変調処理を施す。実施の形態の場合では、ＲＬＬ（１，７）ＰＰ（Parity preserve/prohibit、ＲＬＬ：Run Length Limited）変調処理及びＮＲＺＩ（Non Return to Zero Inverse）変調処理を施すことになる。この可変長変調工程Ｓ１２により得られたデータ列の”０””１”パターンが、実際に光ディスク１０に対して形成されるピットとランドのパターンとなる。
このようにユーザデータについてフォーマット化、可変長変調処理が施されて得られたデータを、ここでは主データと呼ぶ。
【００５６】
続いて、原盤生成工程Ｓ１３を行う。原盤生成工程Ｓ１３は、マスタリング装置を用いて行う。
原盤生成工程Ｓ１３では、先ずガラス原盤に対してフォトレジストを塗布する。そして、このようにフォトレジストが塗布されたガラス原盤を回転駆動した状態で上記可変長変調工程Ｓ１２にて生成した主データに応じたレーザ光を照射することで、記録トラックに沿った凹凸のパターンを形成する。つまり、ピットとランドを形成していく。
次いで、ピットとランドが形成されたレジストを現像処理することでガラス原盤上に定着させ、さらに原盤表面に対して電解メッキを施すことで、図示する金属原盤Ｄ１を生成する。
【００５７】
このように生成した金属原盤Ｄ１を用いて、実際に光ディスク１０を生成するための各工程を行うようにされる。
先ずは、図示する転写・成膜工程Ｓ１４を行うようにされる。
この転写・成膜工程Ｓ１４では、先ず上記金属原盤Ｄ１をもとにスタンパを作成する。そして、このスタンパを成形金型内に配置して、射出成型機を用いてポリカーボネートやアクリル等の透明樹脂によりピット転写基板１を生成する。このピット転写基板１には、先の変調工程Ｓ１２にて生成された主データに応じたピットとランドのパターンが記録トラックに沿って形成されることになる。
また、上記ピット転写基板１のピット形成面に対しては、反射膜２を蒸着等により成膜し、さらにこの反射膜２上に例えば紫外線硬化樹脂等によるカバー層３を成膜する。
【００５８】
また、この場合の転写・成膜工程Ｓ１４では、さらに上記ピット転写基板１のピット面とは逆側の面に対し、下地層４を成膜するようにされる。
このようにしてピット転写基板１のピット形成面側に反射膜２とカバー層３とが積層され、またピット転写基板１の上記ピット形成面とは逆側に下地層４が積層されたディスクについては、主データのみが記録されたディスクという意味で以下主データ記録ディスクＤ２と呼ぶこととする。
【００５９】
続いて、副データ記録工程Ｓ１５を実行する。
ここで、実施の形態では、上記のようにしてピットとランドのパターンによって記録される主データ以外に、副データを記録するものとしている。
この場合、副データは、そのデータ内容部分となる実データとして、光ディスク１０（主データ記録ディスクＤ２）個々にユニークとなるシリアル番号情報を記録するものとしている。すなわち、これによって当該副データ記録工程Ｓ１５を経て生成される各光ディスク１０としては、その個々に固有の識別情報（識別番号）が付加されることになる。
また、副データとしては、上記実データとしての識別情報に加え、この場合はエラー訂正符号も付加するようにされる。このエラー訂正符号が付されることで、再生時に上記識別情報についてのエラー訂正処理を行うことが可能となる。
【００６０】
そして、この場合、上記副データとしては、例えばピットとランドとによる上記主データの特定アドレス区間に重ねるようにして記録するものとしている。
すなわち、この場合は予め再生装置側との間で副データを書き込むべき領域が定められており、再生装置側では、主データを再生して得られるアドレス情報を検出した結果に基づき、この予め定められた領域にアクセスした上で、記録層５に対するレーザ光照射を行って副データについての再生を行うようにされるものとなる。
【００６１】
この図３に示す副データ記録工程Ｓ１５は、次の図４に示す構成による副データ記録装置２０を用いて行われる。
図４において、副データ記録装置２０としては、例えば現状において広く普及している一般的なプリンタ装置とその基本構成がほぼ同様のものであると考えればよい。
先ず、ＣＰＵ（Central Processing Unit）２１は、起動されたプログラムに基づいて副データ記録装置２０の全体の制御、演算処理を行う。
ＣＰＵ２１に対しては、図示するようにＲＯＭ（Read Only Memory）２２とＲＡＭ（Random Access Memory）２３とが備えられる。
ＲＯＭ２２には、ＣＰＵ２１の動作プログラム、プログラムローダー、各種演算係数、プログラムで用いるパラメータ等が記憶される。
また、上記ＲＡＭ２３には、ＣＰＵ２１がプログラムを実行する上でのデータ領域、タスク領域が一時的に確保される。
【００６２】
そして、特にこの場合の上記ＲＯＭ２２には、副データとしての識別情報（ＩＤ情報）を所要のイメージデータ（画像データ）に変換するための、図示するＩＤ／画像変換プログラム２４が格納される。
【００６３】
ここで、上述もしたように副データとしては、再生装置側との間で予め定められたディスク上の所定の領域に対して記録するようにされる。上記ＩＤ／画像変換プログラム２４は、この所定の領域に対し、識別情報の値（この場合正確にはエラー訂正符号も含む副データの値）に応じたパターンが印刷されるようにするためのイメージデータ（印刷データ）を生成するためのプログラムとなる。
【００６４】
例えば一例として、このＩＤ／画像変換プログラム２４に従ったＣＰＵ２１の処理によれば、次の図５に示すように、光ディスク１０の盤面上を想定したイメージデータとして、盤面上の所定の領域に副データとしてのパターンが形成されたイメージデータが生成される。
つまり、予め書き込み領域（書込開始アドレス〜書込終了アドレス）が決められているのであれば、そのアドレス情報に基づいてディスク上の物理的な位置を特定できる。そしてこの特定された物理的な位置に対し、副データの値に応じたパターン（印刷パターン）が形成されるように、ディスク盤面についてのイメージデータを生成するようにされている。
【００６５】
図４に戻り、ＣＰＵ２１に対しては、画像メモリ２５が設けられる。この画像メモリ２５は、ＣＰＵ２１が上記ＩＤ／画像変換プログラム２４に従って生成した図５のようなイメージデータを印刷用データとして格納するために用いられる。
【００６６】
操作入力部２６は、例えば副データ記録装置２０の筐体外面に表出するようにして備えられる図示されない操作キー等によるの入力デバイスであって、ユーザが各種操作入力やデータ入力を行う。操作入力部２６で入力された情報はＣＰＵ２１に対して操作又はデータの入力情報として伝達される。ＣＰＵ２１は入力された情報に対応して必要な演算や制御を行う。
【００６７】
ここでは、副データを構成する識別情報の値が、当該操作入力部２６を介したユーザの操作入力によりＣＰＵ２１に対し入力されるものとする。この入力された識別情報に基づき、ＣＰＵ２１は上述したエラー訂正符号付加などの必要な処理を行って、副データを生成するようにされる。
【００６８】
タイミング制御部２７、吐出制御部２８、塗料タンク２９、吐出ヘッド３０、ヘッド送り制御部３１、ヘッド送りモータ３２、スライド制御部３３、スライドモータ３４は、図示するようにしてステージ３５上に配置された主データ記録ディスクＤ２に対し、実際に上述したイメージデータに基づく印刷を行うための構成となる。
【００６９】
先ず、タイミング制御部２７は、ＣＰＵ２１から供給されるイメージデータに基づき、吐出ヘッド３０、ヘッド送りモータ３２、スライドモータ３４の各動作タイミングについてそれぞれ制御するための各種タイミング制御信号を、それぞれ吐出制御部２８、ヘッド送り制御部３１、スライド制御部３３に供給する。
【００７０】
吐出制御部２８は、上記タイミング制御部２７からのタイミング制御信号に基づき、吐出ヘッド３０による吐出動作を制御する。
吐出ヘッド３０には、図示するようにして塗料タンク２９が備えられ、この塗料タンク２９から供給される塗料を上記吐出制御部２８の制御に基づいて吐出するようにされる。
本実施の形態の場合は、主データ記録ディスクＤ２の下地層４に対し塗料５ａを塗布するようにされるので、上記塗料タンク２９には塗料５ａが充填される。
【００７１】
ここで、図示は省略したが、この場合上記吐出ヘッド３０は、当該吐出ヘッド３０をステージ３５上に配置された主データ記録ディスクＤ２上で予め定められた所定の軸方向に往復スライド移動可能に保持する往復スライド機構により保持される。
そして、この往復スライド機構による上記吐出ヘッド３０の往復スライド動作は、図示するヘッド送りモータ３２の駆動により実現されるようになっている。
【００７２】
上記ヘッド送りモータ３２の動作は、ヘッド送り制御部３１からの駆動信号に基づき行われる。ヘッド送り制御部３１は、上記したタイミング制御部２７からのタイミング制御信号に基づく駆動信号を生成し、これを上記ヘッド送りモータ３２に対して供給することで、ヘッド送りモータ３２の動作を制御するようにされる。
【００７３】
ステージ３５は、主データ記録ディスクＤ２を配置可能に構成されると共に、配置された主データ記録ディスクＤ２を上記吐出ヘッド３０の往復スライド方向とは直交する方向にスライド移動させるスライド機構（図示せず）を有する。
スライドモータ３４は、ステージ３５の上記スライド機構を駆動することで、ステージ３５上に配置された主データ記録ディスクＤ２を上記吐出ヘッド３０の送り方向とは直交する方向にスライド移動させる。
【００７４】
上記スライドモータ３４の動作は、スライド制御部３３により制御される。スライド制御部３３は、上記したタイミング制御部２７からのタイミング制御信号に基づき、スライドモータ３４を駆動制御するための駆動信号を生成する。そして、この駆動信号をスライドモータ３４に供給することでスライドモータ３４の動作を制御するようにされる。
【００７５】
このような副データ記録装置２０の構成により、ＣＰＵ２１が副データの値に基づきＩＤ／画像変換プログラム２４に従って生成したイメージデータに基づいて、塗料タンク２９に充填された塗料５ａを、主データ記録ディスクＤ２の下地層４に対して塗布することができる。すなわち、これによって再生装置側との間で予め定められたディスク上の所定の領域に対し、副データとしての塗料５ａのパターンを印刷により記録することができる。
【００７６】
なお、上記説明においては、識別番号情報はユーザの手動操作により入力するものとして説明したが、例えば副データ記録装置２０内に主データ記録ディスクＤ２に対する印刷を行うごとにカウント値をインクリメントするカウンタを設け、このカウンタの値を識別番号情報としてＣＰＵ２１が自動的に取得するように構成することもできる。
【００７７】
説明を図３に戻す。
上記副データ記録工程Ｓ１５により、主データ記録ディスクＤ２の下地層４上に塗料５ａが所要のパターンにより印刷記録されたディスク（印刷済みディスクＤ３と呼ぶ）が生成される。
そして、このように副データ記録工程Ｓ１５により印刷済みディスクＤ３を生成すると、図示するように保護膜成膜工程Ｓ１６を行う。すなわち、遮へい用保護膜６を、塗料５ａ上と下地層４の塗料５ａが塗布されていない部分との双方を覆うようにして成膜する。
これによって図１に示した本実施の形態としての光ディスク１０が生成される。
【００７８】
ここで、これままで説明した本実施の形態の光ディスク１０について、記録層５に印刷により記録された副データの再生は、主データを再生しつつ行われるものとなる。
すなわち、この場合の副データは、先に述べたようにしてディスク上の予め定められた領域に記録されるので、その再生を行うにあたっては、先ずは主データを再生してアドレス情報を検出することが必要となる。その上で、検出されるアドレス情報に基づき上記所定領域に達したところで、先の図２に示したような副データの再生用のレーザ光を記録層５に対して照射して、副データについての読み出しを開始するようにされる。読み出しの間も、主データに基づくアドレス情報の検出を継続し、上記所定領域の終了ポイントを待機するようにされ、終了ポイントに達したことに応じて副データの読み出しを終了する。
【００７９】
このようにして副データの読み出し時には、主データについての再生も同時並行的に行う必要がある。
このことによると、副データ再生のためのレーザ光としては、その反射光の光量変化が大きいと、主データの再生を適正に行うことができなくなってしまう虞がある。すなわちこのことで、結果的に副データの再生を適正に行うことができなくなってしまう。
【００８０】
このため、光ディスク１０において、記録層５に形成される塗料５ａと遮へい用保護膜６とによる反射率の差、すなわち記録層５に副データ再生のためのレーザ光を照射した際の反射光の光量変化量は、主データについての２値化処理により２値化ができない程度に微弱となるように設定される。これによって主データについての再生が同時並行的に行われる場合にも、その２値化に影響を与えないようにする、つまりは適正にその２値化が行われるようにすることができる。
【００８１】
そして、上記のように記録層５に形成される塗料５ａと遮へい用保護膜６とによる反射率の差が微弱とされることに応じ、副データの検出系としては、副データ再生のためのレーザ光の戻り光に基づき得られたＲＦ信号について、塗料５ａの塗布部分で得られた信号値と遮へい用保護膜６の形成部分で得られた信号値との和又は差を積分した結果に基づきその値を検出するように構成する。
【００８２】
ここで、具体的な副データの値の記録再生方法として、先ず値の記録方法としては、副データを構成する各１値を記録するための区間をそれぞれ割り振っておく。この１値区間では、さらにそれを前半区間と後半区間とに分け、例えば上記前半区間にて塗料５ａを塗布し、後半区間は塗料５ａを塗布しない（つまり後半区間は遮へい用保護膜６が形成される区間となるようにする）とした場合は、その値は「１」であると規定する。逆に、前半区間において塗料５ａを塗布せず、後半区間は塗料５ａを塗布するものとすれば、その値は例えば「０」であると規定する。
【００８３】
但し、この場合は上述のようにして塗料５ａの塗布部分と塗料５ａの塗布されていない部分（遮へい用保護膜６の形成部分）との反射率変化は微弱となるようにされているため、上記１値の区間１つ分のＲＦ信号に基づくだけでは、正確にその値を検出することが非常に困難となる。
このため、副データを記録する領域内においては、副データを構成する各値としての上記１値区間を、所定複数回繰り返し記録するようにされる。つまり、副データ記録領域内においては、所定複数回分同じ値を繰り返し記録するようにされる。
【００８４】
このような記録手法に応じ、副データの値の再生時においては、上記のようにして副データの１値ごとに複数回記録される上記１値区間のそれぞれについて、上記前半部分のＲＦ信号の値と上記後半区間のＲＦ信号の値との和又は差を求め、この和又は差を積分した結果に基づきその値を検出するようにされる。そして、このような検出動作を副データを構成するそれぞれの値について行うことで、副データを再生するようにされる。
【００８５】
なお、副データの記録時においては、副データの値をそのままの順序で繰り返し記録することもできるが、実際においては、記録される副データの値の特定が困難となるように、各値を記録する上記１値区間が副データ記録領域においてランダムにちりばめられて配置されるように記録を行うこともできる。
つまり、記録時においては、予め再生装置側との間で定められた所定のアルゴリズムに基づいて、副データ記録領域内において上記１値区間の１つ１つがランダムにちりばめられるようにして各値の記録を行う。
そして再生装置側としては、上記予め定められた所定のアルゴリズムに基づく順序でランダムに上記１値区間のそれぞれについての読み出しを行って、それら１値区間の上記ＲＦ信号値の和又は差を積分した結果に基づき値を検出するようにする。すなわち、このようにして記録側との間で予め定められた同じアルゴリズムに基づく順序で１値区間単位の読み出しを行うことで、正規の再生装置においては記録時にランダムな順序で記録された副データの各値を適正に検出することができる。
【００８６】
なお、上記のようにして正規の再生装置を用いることで、光ディスク１０に記録された副データを適正に再生することができるが、これによると、例えば違法業者などが正規の再生装置を用いた場合には副データの値自体についてはこれを取得することができてしまう。
しかしながら、本実施の形態の光ディスク１０について海賊版ディスクを製造するとした場合には、上記の記録／再生手法からも理解されるように、それを記録する場所（つまりディスク上の領域）がわからなければならない。つまり、副データの値自体は再生できたとしても、それを海賊版ディスクにおいて適正な場所に記録しなければ、適正な再生を行うことができないものとなる。
【００８７】
本実施の形態の光ディスク１０では、上述のようにして副データは記録層５において印刷により記録され、さらにこの記録層５上には遮へい用保護膜６が成膜されている。
遮へい用保護膜５が成膜されていることで、光ディスク１０外部からの目視による副データの記録領域の特定は極めて困難とすることができる。つまり、これによって副データ記録領域の特定、及びその記録パターンの特定は極めて困難とすることができる。
また、副データ記録領域特定のためには、遮へい用保護膜６を剥がして塗料５ａを表出させることも考えられるが、塗料５ａは印刷により記録されているため、遮へい用保護膜６のみを剥離することは極めて困難とすることができ、結果として塗料５ａの塗布パターンを損なわずに遮へい用保護膜６を剥離することを強固に防止することができる。
本実施の形態の光ディスク１０は、これらの点でも海賊版ディスクの製造防止が図られているものである。
【００８８】
続いて、図６（ａ）（ｂ）の断面図は、それぞれ本実施の形態の光ディスク記録媒体の変形例の構成を示している。なお、この図６において、既に図１にて説明した部分と同様となる部分については同一符号を付して説明を省略する。
先ず、図６（ａ）の変形例は、記録層５として、先の図１の場合には塗料５ａと遮へい用保護膜６の一部とで反射率変化を与えていたものを、それぞれ反射率の異なる２種の塗料（塗料５ａ−１、塗料５ｂ−１）を塗布することで反射率変化を与えるようにしたものである。
ここでは、図示するようにして一方の塗料５ａ−１は赤色塗料とし、他方の塗料５ａ−２としては青色塗料を塗布する場合を例示している。
【００８９】
このように赤色と青色の塗料を選定しているのは、先に説明したように、副データの再生のために記録層５に対して照射するレーザ光としては、基板１の厚みを介して照射する関係からＣＤ系で用いるレーザ光（波長λ＝７８０ｎｍ）かＤＶＤ系で用いるレーザ光（波長λ＝６５０ｎｍ）の何れかとされることに対応させたものである。
一般的に、可視光線波長域における長波長域（例えば６００ｎｍ〜７８０ｎｍ程度）のレーザ光照射に対しては、赤色が反射率が高く、青色は反射率が低いとされている。また低波長域（例えば４００ｎｍ〜５００ｎｍ程度）のレーザ光照射に対しては青色が反射率が高く、赤色が反射率が低いとされている。
このことを踏まえると、上記ＣＤ系、ＤＶＤ系で用いるレーザ光に対しては、これら赤色と青色の塗料を塗布することで、反射率変化を与えることが可能であることが理解できる。
【００９０】
なお、確認のために述べておくと、この図６（ａ）のようにして２種の塗料を塗布して反射率変化を与える場合としても、塗料を所要のパターンが形成されるように塗布していることに変わりはない。
【００９１】
また、図６（ｂ）の変形例は、下地層４を省略し、塗料５ａをピット転写基板１の裏面に直接的に塗布するようにしたものである。
この図では、図６（ａ）で示したように記録層５として２種の塗料５ａにより反射率変化を与える場合を例示しているが、図１に示したように塗料５ａと遮へい用保護膜６の一部とで反射率変化を与える場合にも同様に下地層４を省略した構成とすることができる。
【００９２】
確認のために述べておくと、この図６（ｂ）の変形例の構成を採る場合においては、塗料５ａにより基板１の裏面に直接的に印刷を行うので、先の図１の場合のように印刷に適した下地層４上に印刷を行う場合と比較すれば、塗料５ａとして選定できる材料は限られるものとなる。
但し、このように塗料５ａを基板１に対し直接的に印刷を行うようにすれば、光ディスク記録媒体の製造にあたり下地層４を成膜する工程を省略することができるというメリットがある。
【００９３】
ここで、これまでで説明した光ディスク記録媒体の構成では、記録層５に対し遮へい用保護膜６を直接的に成膜し、記録層５において印刷された塗料５ａの保護と遮へい用の膜とを共通の膜とする場合を例示したが、塗料５ａを保護するための保護膜と、遮へい用の膜とを別々の膜に分けて成膜することもできる。
図示による説明は省略するが、その場合、塗料５ａの保護のための膜としては、例えば紫外線硬化樹脂などによる膜を記録層５上に直接成膜し、さらにその上の遮へい用の膜としては、例えば透過性を有さない又は透過率の極めて低い塗料などを塗布するものとすればよい。
【００９４】
以上、本発明の実施の形態について説明したが、本発明としてはこれまでに説明した実施の形態に限定されるべきものではない。
例えば実施の形態では、光ディスク１０がブルーレイディスクに準拠したディスクとされる場合を例示したが、本発明の光ディスク記録媒体としては、ピットが形成された透過性を有する基板と、上記基板の上記ピットが形成された面に対して成膜された透過性を有する反射膜と、上記反射膜上に成膜された透過性を有するカバー層とを少なくとも備える光ディスク記録媒体、つまりは基板におけるレーザ入射側の面にピット形成面を有するように構成された光ディスク記録媒体であれば、これを広く適用することができる。
【００９５】
また、実施の形態では、塗料５ａの塗布による印刷記録層が、基板に対して成膜された透過性を有する下地層に対して形成される場合を例示したが、印刷記録層と基板との間には、透過性を有する層であればさらに他の層を介在させることもできる。
何れにしても、この場合の印刷記録層としては、基板に対し形成された透過性を有する所要の層（複数の層も可）に対してか、又は上記基板における上記ピット面とは逆側の面に対して直接的に形成されて、基板を介して入射するレーザ光が印刷記録層に到達できるように構成されていればよいものである。
このことによって、記録層における塗料のパターンに応じて得られる反射光を基板を介して戻り光として適正に戻すことができ、記録層に記録される信号についての再生が適正に行われるようにすることができる。
【００９６】
また、実施の形態では、遮へい用の膜が印刷による記録層に直接的に形成される場合のみを例示したが、この遮へい用の膜としては、少なくとも印刷記録層の層位置よりも上層の所定の層位置に対し成膜されていればよい。このことで、印刷記録層に形成された塗料５ａの印刷パターンの外部からの目視による特定を困難とすることができる。
【図面の簡単な説明】
【００９７】
【図１】本発明の実施の形態としての光ディスク記録媒体の断面構造を示した図である。
【図２】実施の形態の光ディスク記録媒体についての読み出し手法について説明するための断面図である。
【図３】実施の形態の光ディスク記録媒体の製造方法について説明するための図である。
【図４】実施の形態の記録装置の構成について示すブロック図である。
【図５】光ディスク記録媒体の盤面上を想定したイメージデータ（印刷データ）の一例について説明するための図である。
【図６】実施の形態の変形例としての光ディスク記録媒体の断面構造を示した図である。
【図７】海賊版ディスク製造防止のために印刷により記録層が形成される従来の光ディスク記録媒体の断面構造を示した図である。
【図８】高記録密度化に適した光ディスク記録媒体の構造について示す断面図である。
【図９】図８に示す構造を採る光ディスク記録媒体に図７の海賊版ディスク製造防止技術をそのまま適用した場合の光ディスク記録媒体の構造を示す断面図である。
【符号の説明】
【００９８】
１  ピット転写基板、２  反射膜、３  カバー層、４  下地層、５  記録層、５ａ  塗料、６  遮へい用保護膜、１０  光ディスク、Ｄ１  金属原盤、Ｄ２  主データ記録ディスク、Ｄ３  印刷済みディスク、２０  副データ記録装置、２１  ＣＰＵ、２２  ＲＯＭ、２３  ＲＡＭ、２４  ＩＤ／画像変換プログラム、２５  画像メモリ、２６  操作入力部、２７  タイミング制御部、２８  吐出制御部、２９  塗料タンク、３０  吐出ヘッド、３１  ヘッド送り制御部、３２  ヘッド送りモータ、３３  スライド制御部、３４  スライドモータ、３５  ステージ
【図１】
2007226891.tif 000003
【図２】
2007226891.tif 000004
【図３】
2007226891.tif 000005
【図４】
2007226891.tif 000006
【図５】
2007226891.tif 000007
【図６】
2007226891.tif 000008
【図７】
2007226891.tif 000009
【図８】
2007226891.tif 000010
【図９】
2007226891.tif 000011